(57)【要約】      （修正有）【課題】上前腸骨棘につながる屈筋群に当接力を付与可能な腰部装着具を提供する。【解決手段】腰部装着具１００は、装着されたときに身体３０の所定部位に当接する程度の伸縮性を有する帯状部１０と、帯状部１０を所定部位に保持するための保持部２０と、を備える。帯状部１０は、腰部３２前面の左右方向で身体３０の中央と上前腸骨棘Ｓａｓとの間を通り、下肢の延伸方向に鼠径部を越えて延伸し、上前腸骨棘Ｓａｓにつながる屈筋群に当接力を付与可能に設けられる。【選択図】図１
0003225086.tif 000002
【実用新案登録請求の範囲】
【請求項１】
装着されたときに身体の所定部位に当接する程度の伸縮性を有する帯状部と、
前記帯状部を前記所定部位に保持するための保持部と、を備え、
前記帯状部は、腰部前面の左右方向で身体中央と上前腸骨棘との間を通り、下肢の延伸方向に鼠径部を越えて延伸し、上前腸骨棘につながる屈筋群に当接力を付与可能に設けられることを特徴とする腰部装着具。
【請求項２】
装着されたときの立位正面視において、前記帯状部は、左右方向で中心よりも一方側に寄って設けられる第１帯状部と、左右方向で中心よりも他方側に寄って設けられる第２帯状部と、を含むことを特徴とする請求項１に記載の腰部装着具。
【請求項３】
前記第１帯状部の上端は、当該上端を通る水平線に沿って身体を８等分した領域のうち、前記一方側の端から２番目または３番目の領域に配置され、
前記第２帯状部の上端は、当該上端を通る水平線に沿って身体を８等分した領域のうち、前記他方側の端から２番目または３番目の領域に配置されることを特徴とする請求項２に記載の腰部装着具。
【請求項４】
前記第１帯状部および前記第２帯状部は、身体の股間の左右中央から膝の上下中央までを上下に４等分した領域の下から２番目の領域に延伸することを特徴とする請求項３に記載の腰部装着具。
【請求項５】
前記第１帯状部および前記第２帯状部それぞれは、分岐始点から外向で下方に伸びる外側分岐部と、前記分岐始点から内向きで下方に伸びる内側分岐部と、に分岐することを特徴とする請求項４に記載の腰部装着具。
【請求項６】
前記外側分岐部は、下肢の側面に延伸する部分を有することを特徴とする請求項５に記載の腰部装着具。
【請求項７】
前記保持部は、腰部を環囲する腰部環囲部と、下肢を環囲する下肢環囲部と、を含み、
前記帯状部は、前記腰部環囲部から前記下肢環囲部にわたって延伸し、前記腰部環囲部および前記下肢環囲部よりも弾性限界が大きく弾性率が小さい材料から形成されることを特徴とする請求項１から６のいずれかに記載の腰部装着具。
【考案の詳細な説明】
【技術分野】
【０００１】
本考案は、人の腰部に装着される腰部装着具に関する。
【背景技術】
【０００２】
腰部に装着されるガードルが知られている。例えば、特許文献１には、伸縮性のある布地で形成されたガードル本体の裏面に、左右の腰部から内転筋に沿って前面の股下に至るように設けた第一の補強弾性帯と、骨盤及び股関節を覆い、背面で大殿筋を持ち上げるように設けた第二の補強弾性帯と、恥骨から大転子を覆い、臀部に延在する第三の補強弾性帯とを備えた骨盤矯正用ガードルが記載されている。
【先行技術文献】
【特許文献】
【０００３】
【特許文献１】特開２０１７−０５３０５０号公報
【考案の概要】
【考案が解決しようとする課題】
【０００４】
本考案者は、腰部に装着される装着具について検討し、上前腸骨棘(じょうぜんちょうこつきょく)につながる屈筋群に当接力を付与することにより、身体の動きが滑らかになり、腰部周辺の疲労が緩和されることを見いだした。また、上前腸骨棘につながる屈筋群当接力を付与することにより、身体のバランス改善や腰痛の予防効果も期待できる。
【０００５】
しかしながら、特許文献１に記載のガードルは、上前腸骨棘につながる屈筋群当接力を付与する機能を備えていない。このことから、本考案者は、特許文献１に記載のガードルには、上前腸骨棘につながる屈筋群に当接力を付与可能にする観点で改善すべき余地があることを認識した。
【０００６】
本考案の目的は、このような課題に鑑みてなされたもので、上前腸骨棘につながる屈筋群に当接力を付与可能な腰部装着具を提供することにある。
【課題を解決するための手段】
【０００７】
上記課題を解決するために、本考案のある態様の腰部装着具は、装着されたときに身体の所定部位に当接する程度の伸縮性を有する帯状部と、帯状部を所定部位に保持するための保持部と、を備える。帯状部は、腰部前面の左右方向で身体中央と上前腸骨棘との間を通り、下肢の延伸方向に鼠径部を越えて延伸し、上前腸骨棘に繋がる屈筋群に当接力を付与可能に設けられる。
【０００８】
この態様によると、上前腸骨棘につながる屈筋群に当接力を付与することができる。
【０００９】
なお、以上の構成要素の任意の組み合わせや本考案の構成要素や表現を、方法、装置、システムなどの間で相互に置換したものもまた、本考案の態様として有効である。
【考案の効果】
【００１０】
本考案によれば、上前腸骨棘につながる屈筋群に当接力を付与可能な腰部装着具を提供することができる。
【図面の簡単な説明】
【００１１】
【図１】実施の形態に係る腰部装着具を身体に装着した状態を示す正面図である。
【図２】図１の腰部装着具を示す別の正面図である。
【図３】変形例に係る腰部装着具を身体に装着した状態を示す正面図である。
【考案を実施するための形態】
【００１２】
以下、本考案を好適な実施形態をもとに各図面を参照しながら説明する。実施形態および変形例では、同一または同等の構成要素、部材には、同一の符号を付するものとし、適宜重複した説明は省略する。また、各図面における部材の寸法は、理解を容易にするために適宜拡大、縮小して示される。また、各図面において実施形態を説明する上で重要ではない部材の一部は省略して表示する。
【００１３】
また、第１、第２などの序数を含む用語は多様な構成要素を説明するために用いられるが、この用語は一つの構成要素を他の構成要素から区別する目的でのみ用いられ、この用語によって構成要素が限定されるものではない。
【００１４】
便宜上、以下の説明において、方向に関して、特に断らない限り、腰部装着具が装着されたときの立位正面視における身体の向きを基準に示す。また、立位における身体の前後に沿った方向を前後方向といい、前後方向で背中側を「後方」、「後側」といい、腹側を「前方」、「前側」という。また、立位における身体の左右に沿った方向を「左右方向」または単に「左右」といい、左右方向で右手側を「一方側」といい、左手側を「他方側」という。なお、左右方向は前後方向に直交する。また、左右方向において、身体の中心に向かう方向を「内向」、「内側」といい、身体の中心から遠ざかる方向を「外向」あるいは「外側」という。また、身体の上下に沿った方向を「上下方向」または単に「上下」という。また、「平行」、「垂直」は、完全な平行、垂直だけではなく、誤差の範囲で平行、垂直からずれている場合も含むものとする。また、「略」は、おおよその範囲でその状態にあるという意味である。
【００１５】
［実施の形態］
以下、図１を参照して、本考案に係る実施の形態について説明する。図１は、実施の形態に係る腰部装着具１００を身体３０に装着した状態を示す正面図である。図２は、腰部装着具１００を示す別の正面図である。これらの図において、身体の各部位を示す符号が腰部装着具上を指している場合も、これらは身体の各部位を指すものであって、腰部装着具を指すものではない。
【００１６】
図１、図２に示すように、腰部装着具１００は、帯状部１０と、保持部２０と、を含む。帯状部１０は、身体３０に装着されたときに身体３０の所定部位に当接する程度の伸縮性を有する部分である。帯状部１０は、腰部３２前面の左右方向で身体３０の中央と上前腸骨棘Ｓａｓとの間を通り、下肢３４の延伸方向に鼠径部３８を越えて延伸し、上前腸骨棘Ｓａｓにつながる屈筋群に当接力を付与可能に設けられる。保持部２０は、帯状部１０を所定部位に保持するための部分である。なお、上前腸骨棘Ｓａｓにつながる屈筋群としては、大腿筋膜張筋や縫工筋が挙げられる。
【００１７】
上前腸骨棘Ｓａｓは骨盤Ｐｂの腸骨稜(ちょうこつりょう)の前縁にある突起部であり、腰部３２に手を当てたときに指先が触れるとがった部分である。上前腸骨棘Ｓａｓには、屈筋として縫工筋と大腿筋膜張筋とがつながっている。縫工筋は、上前腸骨棘Ｓａｓと下腿とをつなぐ長い筋肉で、大腿骨をクロスするようにつながっている。縫工筋は、間に股関節と膝関節の二つの関節を挟むことから二関節筋(にかんせつきん)と呼ばれることがある。大腿筋膜張筋は、上前腸骨棘Ｓａｓに始まり腸脛靭帯に停止する。これらは股関節の屈曲に関与しており、本考案者の研究により、当接力を付与することにより伸筋に弛緩をもたらす効果が示唆されている。したがって、帯状部１０は、これらの筋肉に沿って延伸してもよい。
【００１８】
（保持部）
先に保持部２０を説明する。本実施形態の保持部２０は、下肢３４を環囲する第１保持部２２と、腰部３２を環囲する第２保持部２４と、を含んでいる。図１、図２に示すように、第１保持部２２は、左右それぞれの下肢３４（この例では大腿部）に装着される筒形状を有する。第２保持部２４は、腰部３２に装着される筒形状を有する。この例では、第１保持部２２と第２保持部２４とは、糸を筒状に編成することによって一体的に形成されている。図１、図２に示すように、各第１保持部２２の下端側には第１開口２０ｈが設けられ、第２保持部２４の上端側には第２開口２０ｊが設けられる。
【００１９】
図１、図２に示すように、保持部２０の下端側の第１開口２０ｈには第１端部２０ｄが設けられ、上端側の第２開口２０ｊには第２端部２０ｅが設けられている。本実施形態の第１端部２０ｄおよび第２端部２０ｅは、環囲する部位を緊縮する口ゴム部として機能する。
【００２０】
（帯状部）
帯状部１０は、上前腸骨棘Ｓａｓにつながる屈筋群に当接力を付与する位置において、左右方向で上前腸骨棘Ｓａｓから身体３０の中央寄りの位置を通り、下肢３４の延伸方向に鼠径部３８を越えて延伸する。本実施形態の帯状部１０は、第２保持部２４から第１保持部２２にわたって延伸し、主に、上前腸骨棘Ｓａｓにつながる屈筋群に当接力を付与する。帯状部１０は、延伸方向の長さ寸法に比べて小さな幅寸法を有する細長形状を呈する。
【００２１】
帯状部１０は、左右の上前腸骨棘Ｓａｓにつながる屈筋群にそれぞれ対応して配置されることが望ましい。そこで、本実施形態の帯状部１０は、第１帯状部１２と、第２帯状部１４と、を含んでいる。特に、第１帯状部１２は、装着されたときの立位正面視において、左右方向で中心よりも一方側に寄って設けられる。第２帯状部１４は、装着されたときの立位正面視において、左右方向で中心よりも他方側に寄って設けられる。第１帯状部１２および第２帯状部１４は、左右対称に設けられている。
【００２２】
帯状部１０は、身体３０に装着されることで、その身体形状に沿って伸び、その復元力によって縮む方向の収縮力を身体３０に付与する。帯状部１０は保持部２０より大きな伸縮性を有する材料から形成される。特に、帯状部１０は保持部２０より弾性限界が大きく弾性率が小さいシート状の生地から形成される。帯状部１０は、例えばゴムなど大きな弾性を有する素材が織り込まれた織物から形成されてもよい。帯状部１０は保持部２０より厚い生地から形成されてもよい。
【００２３】
上前腸骨棘Ｓａｓにつながる屈筋群に当接力を付与する観点から、第１帯状部１２および第２帯状部１４のは、上前腸骨棘Ｓａｓにつながる屈筋の近傍に延伸することが望ましい。そこで、本実施形態では、第１帯状部１２の上端１２ｅは、当該上端１２ｅを通る水平線に沿って身体を８等分した領域のうち、一方側の端ＰＴ１から２番目または３番目の領域に配置され、第２帯状部１４の上端１４ｅは、当該上端１４ｅを通る水平線に沿って身体を８等分した領域のうち、他方側の端ＰＴ２から２番目または３番目の領域に配置されている。
【００２４】
第１帯状部１２および第２帯状部１４の延伸長が短すぎると、装着の仕方で当接力が変化し、安定して当接力を付与できないことがある。そこで、本実施形態では、第１帯状部１２および第２帯状部１４は、身体３０の股間の左右中央３２ｃから膝３７の上下中央３７ｃまでを上下に４等分した領域の下から２番目の領域に延伸している。
【００２５】
第１帯状部１２および第２帯状部１４の下端１２ｄ、１４ｄは、上述の下から２番目の領域を越えて下方に延びてもよいし、膝を越えて下方に延びてもよい。この例では、下端１２ｄ、１４ｄは、膝よりやや上側に配置されている。
【００２６】
上前腸骨棘Ｓａｓにつながる屈筋群に適切に当接力を付与する観点から、帯状部１０の位置は上前腸骨棘Ｓａｓの近傍の所定位置からずれないことが望ましい。そこで、本実施形態の第１帯状部１２および第２帯状部１４それぞれは、分岐始点から外向で下方に伸びる外側分岐部１２ａ、１４ａと、分岐始点から内向きで下方に伸びる内側分岐部１４ｂ、１４ｂと、に分岐する。第１帯状部１２および第２帯状部１４は、分岐始点から上向きに延びるベース部１２ｃ、１４ｃを有する。外側分岐部１２ａ、１４ａと、内側分岐部１４ｂ、１４ｂとを有することにより、ベース部１２ｃ、１４ｃの左右方向への偏りを抑制できる。
【００２７】
第１帯状部１２および第２帯状部１４の幅は、５ｍｍ〜４０ｍｍの範囲であってもよく、好ましくは１０ｍｍ〜３５ｍｍの範囲であってもよく、より好ましくは１２ｍｍ〜３２ｍｍの範囲であってもよい。本実施形態では、第１帯状部１２および第２帯状部１４の幅は１５ｍｍ〜３０ｍｍの範囲に設定されている。
【００２８】
以上のように構成された腰部装着具１００の特徴を説明する。
【００２９】
腰部装着具１００は、装着されたときに身体３０の所定部位に当接する程度の伸縮性を有する帯状部１０と、帯状部１０を所定部位に保持するための保持部２０と、を備える。帯状部１０は、腰部３２前面の左右方向で身体３０の中央と上前腸骨棘Ｓａｓとの間を通り、下肢の延伸方向に鼠径部を越えて延伸し、上前腸骨棘Ｓａｓにつながる屈筋群に当接力を付与可能に設けられる。
【００３０】
この構成によれば、帯状部１０が上前腸骨棘Ｓａｓにつながる屈筋群に圧縮力を付与できるので、身体３０の動きが滑らかになり、腰部３２周辺の疲労緩和が期待される。また、上前腸骨棘につながる屈筋群に当接力を付与することにより、身体のバランス改善や腰痛の予防効果も期待できる。
【００３１】
本実施形態では、装着されたときの立位正面視において、帯状部１０は、左右方向で中心よりも一方側に寄って設けられる第１帯状部１２と、左右方向で中心よりも他方側に寄って設けられる第２帯状部１４と、を含んでいる。この場合、第１帯状部１２と、第２帯状部１４とを左右の上前腸骨棘Ｓａｓにつながる屈筋群それぞれに対応して配置できる。
【００３２】
本実施形態では、第１帯状部１２の上端１２ｅは、当該上端１２ｅを通る水平線に沿って身体を８等分した領域のうち、一方側の端ＰＴ１から２番目または３番目の領域に配置され、第２帯状部１４の上端１４ｅは、当該上端１４ｅを通る水平線に沿って身体を８等分した領域のうち、他方側の端ＰＴ２から２番目または３番目の領域に配置されている。この場合、第１帯状部１２および第２帯状部１４それぞれは、左右の上前腸骨棘Ｓａｓにつながる屈筋群の近傍に延伸して当接力を付与することができる。
【００３３】
本実施形態では、第１帯状部１２および第２帯状部１４それぞれは、分岐始点から外向で下方に伸びる外側分岐部１２ａ、１４ａと、分岐始点から内向きで下方に伸びる内側分岐部１２ｂ、１４ｂと、に分岐する。外側分岐部１２ａ、１４ａと、内側分岐部１２ｂ、１４ｂとを有することにより、ベース部１２ｃ、１４ｃの左右方向への偏りを抑制できる。
【００３４】
本実施形態では、外側分岐部１２ａ、１４ａは、下肢３４の側面に延伸する部分を有する。この場合、外側分岐部１２ａ、１４ａの鉛直方向に対する傾斜が大きくなり、延伸長を容易に長くすることができる。
【００３５】
本実施形態では、保持部２０は、下肢３４を環囲する第１保持部２２と、腰部３２を環囲する第２保持部２４と、を含んでいる。帯状部１０は、第２保持部２４から第１保持部２２にわたって延伸し、第２保持部２４および第１保持部２２よりも弾性限界が大きく弾性率が小さい材料から形成されている。この場合、帯状部１０は第２保持部２４から第１保持部２２にわたって柔軟に伸びるので、縮む方向の収縮力を腰部３２から大腿部にわたって付与することができる。
【００３６】
以上、本考案の実施形態をもとに説明した。これらの実施形態は例示であり、いろいろな変形および変更が本考案の実用新案登録請求の範囲内で可能なこと、またそうした変形例および変更も本考案の実用新案登録請求の範囲にあることは当業者に理解されるところである。従って、本明細書での記述および図面は限定的ではなく例証的に扱われるべきものである。
【００３７】
［変形例］
以下、変形例について説明する。変形例の説明では、実施の形態と同一または同等の構成要素、部材には、同一の符号を付する。実施の形態と重複する説明を適宜省略し、実施の形態と相違する構成について重点的に説明する。
【００３８】
実施の形態の説明では、保持部２０がロングガードルの形状を有する例を示したが、本考案はこれに限られない。例えば、保持部はガーターベルトのような形状を有してもよい。図３は、変形例に係る腰部装着具１００を装着した状態を示す正面図であり、図２に対応する。本変形例の保持部２０は、腰部３２を環状に囲む腰部ベルト２６と、下肢３４の大腿部を環状に囲む脚ベルト２８とを有する。図３の例では、腰部ベルト２６には第１帯状部１２および第２帯状部１４の上端１２ｅ、１４ｅが接続され、脚ベルト２８には第１帯状部１２および第２帯状部１４の下端１２ｄ、１４ｄが接続されている。
【００３９】
実施の形態の説明では、保持部２０の下端側の第１開口２０ｈが、大腿部に位置する例を示したが、本考案はこれに限られない。例えば、保持部２０の下端側の開口は、膝３７を越えて下方に延びてもよい。
【００４０】
実施の形態の説明では、保持部２０の上端側の第２開口２０ｊが、腰部３２のウエスト側の領域に位置する例を示したが、本考案はこれに限られない。例えば、保持部２０の上端側の開口は、腹部を越えて上方に延びてもよい。
【００４１】
実施の形態の説明では、帯状部１０が左右対称に配置される例を示したが、本考案はこれに限られない。帯状部は非対称な部分を含んでもよい。
【００４２】
実施の形態の説明では、保持部２０が丸編みにより一体の筒状に形成される例を示したが、本考案はこれに限られない。例えば、保持部２０は、平編みにより平らに編まれ、縫製等により筒状に形成されてもよい。あるいは、保持部２０は、所定の箇所にファスナを設け、ファスナを開いた状態で身体に巻き付け、ファスナを閉じて身体を包囲するようにしてもよい。
【００４３】
実施の形態の説明では、腰部装着具１００が独立した装着体である例を示したが、本考案はこれに限られない。例えば、腰部装着具は身体に装着される衣類やサポータの一部であってもよい。
【００４４】
なお、これらの変形例は、前述の実施形態と同様の作用・効果を奏する。
【００４５】
前述の各実施形態と変形例の任意の組み合わせもまた本考案の実施形態として有用である。組み合わせによって生じる新たな実施形態は、組み合わされる各実施形態および変形例それぞれの効果をあわせもつ。
【符号の説明】
【００４６】
１０  帯状部、  １２  第１帯状部、  １２ａ、１４ａ  外側分岐部、  １２ｂ、１４ｂ  内側分岐部、  １２ｃ、１４ｃ  ベース部、  １２ｄ、１４ｄ  下端、  １２ｅ、１４ｅ  上端、  １４  第２帯状部、  ２０  保持部、  ２０ｄ  第１端部、  ２０ｅ  第２端部、  ２０ｈ  第１開口、  ２０ｊ  第２開口、  ２２  第１保持部、  ２４  第２保持部、  ２６  腰部ベルト、  ２８  脚ベルト、  ３０  身体、  ３２  腰部、  ３２ｃ  左右中央、  ３４  下肢、  ３７  膝、  ３７ｃ  上下中央、  ３８  鼠径部、  １００  腰部装着具。
【図１】
0003225086.tif 000003
【図２】
0003225086.tif 000004
【図３】
0003225086.tif 000005